(57)【要約】【課題】複数の装置の設定を一括して行うことができ、装置毎の設定ミスが起こり難い監視設定装置を提供する。【解決手段】監視設定装置１では、画像形成装置の帯電電圧、現像バイアス、転写電圧、定着温度等の調整値を設定情報とし、無線ＬＡＮ２を通じて、各画像形成装置３-1〜３-4との間でデータ通信を行って、各画像形成装置３-1〜３-4の設定情報を取得し、これらの設定情報を表示装置１１の画面１１ａに表示して確認することができるようにしている。また、各画像形成装置３-1〜３-4別に、入力操作部１８の入力操作により表示装置１１の画面１１ａ上の設定情報を変更することができ、無線ＬＡＮ２を通じて、その変更された設定情報を画像形成装置に戻し、この設定情報に従って、画像形成装置の帯電電圧、現像バイアス、転写電圧、定着温度等の調整値を設定し直すようにしている。【選択図】図３
2009109646.tif 000002
【特許請求の範囲】
【請求項１】
監視対象装置の設定情報を該監視対象装置から取得する取得手段と、
取得手段により取得された監視対象装置の設定情報を表示する表示手段と、
表示手段により表示された監視対象装置の設定情報に対する変更を行うための入力手段と、
入力手段により変更された監視対象装置の設定情報を該監視対象装置に指示して設定させる指示手段とを備え、
前記表示手段は、前記取得手段により複数の監視対象装置の設定情報が取得されたときに、該表示手段の画面を複数の表示領域に分割して、各表示領域にそれぞれの監視対象装置の設定情報を分割表示し、
前記入力手段は、前記各表示領域に表示されたそれぞれの監視対象装置別に、監視対象装置の設定情報に対する変更を行うことが可能であり、
前記指示手段は、各監視対象装置別に、前記入力手段により変更された監視対象装置の設定情報を該監視対象装置に指示して設定させることを特徴とする監視設定装置。
【請求項２】
前記監視対象装置の設定情報は、監視対象装置の調節状態及びトラブルを示すことを特徴とする請求項１に記載の監視設定装置。
【請求項３】
前記表示手段は、各表示領域にそれぞれの監視対象装置の設定情報を分割表示する代わりに、各監視対象装置の設定情報のいずれかを選択的に表示することが可能であることを特徴とする請求項１に記載の監視設定装置。
【請求項４】
前記入力手段は、前記表示手段により表示された監視対象装置の設定情報の標準値を設定することが可能であることを特徴とする請求項１に記載の監視設定装置。
【請求項５】
前記入力手段は、前記監視対象装置の設定情報の標準値を基準とする設定範囲で、該設定情報を変更することが可能であることを特徴とする請求項４に記載の監視設定装置。
【請求項６】
前記取得手段は、監視対象装置の設定情報と共に該監視対象装置の識別情報を取得し、
前記表示手段は、取得手段により取得された監視対象装置の設定情報及び識別情報を表示することを特徴とする請求項１に記載の監視設定装置。
【請求項７】
前記取得手段及び指示手段は、無線ＬＡＮを通じて、監視対象装置の設定情報の取得及び指示を行うことを特徴とする請求項１に記載の監視設定装置。
【請求項８】
前記監視対象装置は、画像形成装置であることを特徴とする請求項１に記載の監視設定装置。
【請求項９】
請求項１乃至８のいずれか一つに記載の監視設定装置を用いた生産システム。
【発明の詳細な説明】
【技術分野】
【０００１】
本発明は、複数の監視対象装置の監視及び調節設定が可能な監視設定装置及びそれを用いた生産システムに関する。
【背景技術】
【０００２】
特許文献１では、電子機器の調整値を設定しており、ユーザモードに調整値を設定させるユーザ調整モードの他に、他の調整モードを設けて、この他の調整モードでの調整者による調整値の設定を可能にし、また他の調整モードであるときに、ユーザ調整モードとは異なる他の調整モードであることを視認させるための識別情報を表示画面に表示して、調整値の調整を支援している。
【特許文献１】特開２００６−２１７４９３号公報
【発明の開示】
【発明が解決しようとする課題】
【０００３】
しかしながら、特許文献１では、複数の電子機器があれば、電子機器別に、調整値の確認及び設定を行っているので、調整者による調整値の設定ミスが発生していても、その電子機器の調整値の確認や修正を行うのが煩雑であり難しかった。
【０００４】
そこで、本発明は、上記従来の問題に鑑みてなされたものであり、複数の装置の設定を一括して行うことができ、装置毎の設定ミスが起こり難い監視設定装置及びそれを用いた生産システムを提供することを目的とする。
【課題を解決するための手段】
【０００５】
上記課題を解決するために、本発明の監視設定装置は、監視対象装置の設定情報を該監視対象装置から取得する取得手段と、取得手段により取得された監視対象装置の設定情報を表示する表示手段と、表示手段により表示された監視対象装置の設定情報に対する変更を行うための入力手段と、入力手段により変更された監視対象装置の設定情報を該監視対象装置に指示して設定させる指示手段とを備え、前記表示手段は、前記取得手段により複数の監視対象装置の設定情報が取得されたときに、該表示手段の画面を複数の表示領域に分割して、各表示領域にそれぞれの監視対象装置の設定情報を分割表示し、前記入力手段は、前記各表示領域に表示されたそれぞれの監視対象装置別に、監視対象装置の設定情報に対する変更を行うことが可能であり、前記指示手段は、各監視対象装置別に、前記入力手段により変更された監視対象装置の設定情報を該監視対象装置に指示して設定させている。
【０００６】
また、前記監視対象装置の設定情報は、監視対象装置の調節状態及びトラブルを示している。
【０００７】
更に、前記表示手段は、各表示領域にそれぞれの監視対象装置の設定情報を分割表示する代わりに、各監視対象装置の設定情報のいずれかを選択的に表示することが可能である。
【０００８】
また、前記入力手段は、前記表示手段により表示された監視対象装置の設定情報の標準値を設定することが可能である。
【０００９】
更に、前記入力手段は、前記監視対象装置の設定情報の標準値を基準とする設定範囲で、該設定情報を変更することが可能である。
【００１０】
また、前記取得手段は、監視対象装置の設定情報と共に該監視対象装置の識別情報を取得し、前記表示手段は、取得手段により取得された監視対象装置の設定情報及び識別情報を表示している。
【００１１】
更に、前記取得手段及び指示手段は、無線ＬＡＮを通じて、監視対象装置の設定情報の取得及び指示を行っている。
【００１２】
更に、前記監視対象装置は、画像形成装置である。
【００１３】
また、本発明の生産システムは、上記本発明の監視設定装置を用いている。
【発明の効果】
【００１４】
このような構成の監視設定装置によれば、複数の監視対象装置の設定情報を取得して、表示手段の画面の各表示領域にそれぞれの監視対象装置の設定情報を分割表示し、それぞれの監視対象装置別に、監視対象装置の設定情報に対する変更を行って、この変更された設定情報を監視対象装置に指示して設定させている。このため、監視設定装置側で、複数の監視対象装置の設定情報を一括して設定することが可能であり、監視対象装置毎の設定ミスが起こり難い。
【００１５】
例えば、監視対象装置の設定情報は、監視対象装置の調節状態及びトラブルを示している。この場合は、監視設定装置側で、各監視対象装置の調節状態を変更したり、トラブルを確認することが可能となる。
【００１６】
また、各表示領域にそれぞれの監視対象装置の設定情報を分割表示する代わりに、各監視対象装置の設定情報のいずれかを選択的に表示することもできる。
【００１７】
また、監視対象装置の設定情報の標準値を設定したり、監視対象装置の設定情報の標準値を基準とする設定範囲で、該設定情報を変更することができるので、この標準値を基準にした設定情報の調整が容易である。
【００１８】
また、監視対象装置の設定情報と共に該監視対象装置の識別情報を取得して表示しているので、複数の監視対象装置の設定情報をそれぞれの識別情報により識別することができる。
【００１９】
例えば、無線ＬＡＮを通じて、監視対象装置の設定情報の取得及び指示を行うことができる。
【００２０】
例えば、監視対象装置は、画像形成装置である。画像形成装置としては、電子写真方式のものがあるが、この電子写真方式の画像形成装置では、感光体を帯電させる帯電電圧、現像装置の現像バイアス、転写電圧、定着温度等を設定する必要がある。そこで、これらを設定情報としておけば、監視設定装置側で、複数の画像形成装置の帯電電圧、現像バイアス、転写電圧、定着温度等を一括して設定することが可能となり、画像形成装置毎の設定ミスによる画像形成不良を回避することができる。
【００２１】
また、本発明の生産システムは、上記本発明の監視設定装置を用いている。生産システムでは、複数の装置を用いるので、これらの装置を監視対象装置とし、上記本発明の監視設定装置を適用すれば、各監視対象装置の一括管理が可能となる。
【発明を実施するための最良の形態】
【００２２】
以下、本発明の実施形態を添付図面を参照しつつ詳細に説明する。
【００２３】
図１は、本発明の監視設定装置の一実施形態を概略的に示すブロック図である。また、図２は、本実施形態の監視設定装置を示す斜視図である。更に、図３は、本実施形態の監視設定装置を適用した生産システムを示すブロック図である。
【００２４】
図３に示すように、本実施形態の監視設定装置１は、無線ＬＡＮ２を通じて、複数の画像形成装置３-1〜３-4に接続され、これらの画像形成装置３-1〜３-4を監視及び管理することができる。ここでは、４台の画像形成装置３-1〜３-4を例示しているが、無線ＬＡＮ２を通じて、監視設定装置１を最大で１６台の画像形成装置に接続し、これらの画像形成装置を監視及び管理することができる。
【００２５】
図１及び図２に示すように、本実施形態の監視設定装置１は、大型液晶表示装置等の表示装置１１と、表示装置１１の画面１１ａ上に重ね合わされたタッチパネル１２と、監視設定装置１全体の制御を司るＣＰＵ１３と、ＣＰＵ１３のワークエリアとして用いられるメモリ１４と、各種のデータもしくはプログラム等を記憶するハードディスク装置１５と、表示装置１１の表示制御を行うＬＣＤコントローラ１６と、無線ＬＡＮ２を通じてデータ通信を行う通信部１７と、データ等を入力するために操作される入力操作部１８と、表示装置１１の向きを変更するための表示角度変更部１９と、撮影カメラ２０と、プリンタ２１と、スキャナ２２とを備えている。
【００２６】
通信部１７は、最大で１６の入出力ポートを有しており、先に述べたように無線ＬＡＮ２を通じて、監視設定装置１を最大で１６台の画像形成装置に無線接続することを可能にする。
【００２７】
入力操作部１８は、キーボードやマウス等であり、入力操作によりデータ等を入力してＣＰＵ１３に通知する。
【００２８】
表示角度変更部１９は、表示装置１１を上下左右に駆動して、その画面１１ａの向きを変更するためのものである。入力操作部１８の入力操作により画面１１ａの向きを指示すると、これに応答してＣＰＵ１３は、表示角度変更部１９を駆動制御して、表示装置１１を上下左右に駆動して、入力操作により指示された向きに画面１１ａを向ける。
【００２９】
プリンタ２１は、画像等を記録用紙に印刷するためのものである。撮影カメラ２０により画像が撮像されたり、スキャナ２２により原稿の画像等が読取られると、これらの画像等がＣＰＵ１３を通じてプリンタ２１に入力され、プリンタ２１により画像等が記録用紙に印刷される。
【００３０】
タッチパネル１２は、表示装置１１の画面１１ａが見えるような透光性を有する平板状のものであり、図４に示すようにガラス板等の透光板３１の相互に対向するｘ方向の２辺にＬＥＤアレイ３２及びフォトトランジスタアレイ３３を配置し、また透光板３１の相互に対向するｙ方向の２辺にもＬＥＤアレイ３４及びフォトトランジスタアレイ３５を配置したものである。各ＬＥＤアレイ及び各フォトトランジスタアレイのいずれも、ＬＥＤ素子もしくはフォトトランジスタ素子を０．５ｍｍ間隔で配置している。このタッチパネル１２では、ｘ方向のＬＥＤアレイ３２から複数の光ビームを出射させて、これらの光ビームをフォトトランジスタアレイ３３に入射させ、またｙ方向のＬＥＤアレイ３４からも複数の光ビームを出射させて、これらの光ビームをフォトトランジスタアレイ３５に入射させている。この状態で、タッチパネル１２上の任意の位置Ｐにペンの先端を接触させると、ペンの先端により、ｘ方向のＬＥＤアレイ３２からの複数の光ビームのいずれかが遮断されて、このｘ方向の遮断位置がフォトトランジスタアレイ３３によりｘ座標として検出され、同時に、ペンの先により、ｙ方向のＬＥＤアレイ３４からの複数の光ビームのいずれかが遮断されて、このｙ方向の遮断位置がフォトトランジスタアレイ３５によりｙ座標として検出され、これによりペンの先の位置Ｐがｘｙ座標として検出される。
【００３１】
タッチパネル１２としては、光学式の他に、抵抗膜方式や感圧式等の他の種類のものを適用しても構わない。
【００３２】
ＣＰＵ１３は、タッチパネル１２により検出されたペンの先のｘｙ座標を表示装置１の画面１ａ上の点の位置として入力する。そして、ペンの先により文字や図形等が描かれたときには、ＣＰＵ１３は、タッチパネル１２により検出されたペンの先のｘｙ座標を随時入力して、ペンの先のｘｙ座標の移動軌跡を求め、この移動軌跡、つまり文字や図形等をオブジェクトとしてメモリ１４に記憶する。そして、ＣＰＵ１３は、このオブジェクトをメモリ１４から読み出して、このオブジェクトである文字や図形等を表示装置１１の画面１１ａに表示する。
【００３３】
このような表示装置１１の画面１１ａへのオブジェクトの表示は、タッチパネル１２上にオブジェクトが描かれると同時に、つまりリアルタイムで行われる。この場合は、ペンによりオブジェクトを描くと同時に、オブジェクトを表示装置１１の画面１１ａ上で確認することができる。
【００３４】
また、表示装置１１の画面１１ａ上のオブジェクトが一旦消去された後でも、入力操作部１８の入力操作によりオブジェクトの再表示が指示されると、これに応答してＣＰＵ１３によりオブジェクトがメモリ１４から読み出されて表示装置１１の画面１１ａに再表示される。
【００３５】
図３に示す各画像形成装置３-1〜３-4は、最大で１６台まで増設することができ、それぞれが記録用紙への印刷を行う。従って、図３の生産システムは、印刷システムであるともいえる。
【００３６】
各画像形成装置３-1〜３-4は、電子写真方式のものであり、静電潜像を感光体ドラム表面に形成し、トナーにより感光体ドラム表面の静電潜像を現像して、感光体ドラム表面にトナー像を形成し、トナー像を感光体ドラムから記録用紙に転写し、記録用紙を加熱及び加圧して、トナー像を記録用紙上に定着させる。
【００３７】
また、各画像形成装置３-1〜３-4は、画像形成装置全体の制御を司るＣＰＵ４１と、記憶部４２と、無線ＬＡＮ２を通じて、監視設定装置１との間でデータ通信を行う通信部４３とを備えている。
【００３８】
このような電子写真方式の画像形成装置では、感光体を帯電させる帯電電圧、現像装置の現像バイアス、転写電圧、定着温度等の調整値を設定する必要がある。
【００３９】
ここで、仮に、画像形成装置別に、帯電電圧、現像バイアス、転写電圧、定着温度等の調整値を管理設定していたならば、調整者による設定ミスが発生していても、その画像形成装置の調整値の確認や修正を行うのが煩雑であり難しい。
【００４０】
そこで、本実施形態の監視設定装置１では、画像形成装置の帯電電圧、現像バイアス、転写電圧、定着温度等の調整値を設定情報とし、無線ＬＡＮ２を通じて、各画像形成装置３-1〜３-4との間でデータ通信を行って、各画像形成装置３-1〜３-4の設定情報を取得し、これらの設定情報を表示装置１１の画面１１ａに表示して確認することができるようにしている。また、各画像形成装置３-1〜３-4別に、入力操作部１８の入力操作により表示装置１１の画面１１ａ上の設定情報を変更することができ、無線ＬＡＮ２を通じて、その変更された設定情報を画像形成装置に戻し、この設定情報に従って、画像形成装置の帯電電圧、現像バイアス、転写電圧、定着温度等の調整値を設定し直すようにしている。これにより、各画像形成装置３-1〜３-4の調整値を一括して設定することが可能となり、画像形成装置毎の設定ミスが起こり難くなり、画像形成装置毎の設定ミスによる画像形成不良を防止することができる。
【００４１】
次に、そのような監視設定装置１による各画像形成装置３-1〜３-4の調整値の管理設定手順を詳しく述べる。
【００４２】
監視設定装置１では、調整者が入力操作部１８を入力操作して各画像形成装置３-1〜３-4の設定情報の収集を指示すると、これに応答してＣＰＵ１３は、無線ＬＡＮ２を通じて、設置情報の送信を各画像形成装置３-1〜３-4に指示する。
【００４３】
各画像形成装置３-1〜３-4では、設置情報の送信指示を通信部４３で受信し、この設置情報の送信指示をＣＰＵ４１に入力する。ＣＰＵ４１は、この指示を入力すると、画像形成装置の帯電電圧、現像バイアス、転写電圧、定着温度等の調整値を収集し、また該画像形成装置の識別番号（機種名や製造番号等）を記憶部４２から読み出し、無線ＬＡＮ２を通じて、それらの調整値及び識別番号を示す設定情報を監視設定装置１に送信する。これにより、各画像形成装置３-1〜３-4の設定情報が監視設定装置１に送信される。
【００４４】
監視設定装置１では、各画像形成装置３-1〜３-4別に、画像形成装置の帯電電圧、現像バイアス、転写電圧、定着温度等の調整値及び識別番号を示す設定情報を通信部１７で受信し、各画像形成装置３-1〜３-4の設定情報をＣＰＵ１３に入力する。ＣＰＵ１３は、各画像形成装置３-1〜３-4の設定情報を入力すると、各画像形成装置３-1〜３-4別に、画像形成装置の設定情報から帯電電圧、現像バイアス、転写電圧、定着温度等の調整値及び識別番号を抽出し、これらの調整値及び識別番号を対応付けてハードディスク装置１５に記憶する。
【００４５】
そして、ＣＰＵ１３は、各画像形成装置３-1〜３-4が４台であることから、図５に示すように表示装置１１の画面１１ａを４つの表示領域１１-1、１１-2、１１-3、１１-4に分割し、それぞれの表示領域に各画像形成装置３-1〜３-4の調整値及び識別番号を分割表示する。
【００４６】
ここでは、表示領域毎に、画像形成装置の帯電電圧、現像バイアス、転写電圧、定着温度及び識別番号が表示され、また調整指示ボタン５１が表示されている。帯電電圧、現像バイアス、転写電圧、定着温度については、標準値もしくは標準値を基準とする設定範囲がそれぞれ決められており、調整値がその標準値に等しいかもしくは設定範囲に入っていれば、この旨を示す「ＯＫ」が表示され、また調整値がその標準値に等しくないかもしくは設定範囲に入っていなければ、この調整値が表示される。例えば、表示領域１１-1には、識別番号「Model:MX1100 Sirial:1002345678」が表示され、帯電電圧がその標準値に等しいかもしくは設定範囲に入っている旨を示す「ＯＫ」が表示され、現像バイアスがその標準値に等しいかもしくは設定範囲に入っている旨を示す「ＯＫ」が表示され、転写電圧がその標準値に等しいかもしくは設定範囲に入っている旨を示す「ＯＫ」が表示され、定着温度がその標準値に等しくないかもしくは設定範囲に入っていないことから、この定着温度１５０（℃）が表示される。
【００４７】
このような表示装置１１の画面１１ａをみれば、各画像形成装置３-1〜３-4の帯電電圧、現像バイアス、転写電圧、定着温度を一括して確認することができ、各画像形成装置３-1〜３-4間の比較により調整値のバラツキやその傾向を容易に把握することができる。
【００４８】
尚、表示装置１１の画面１１ａを４つの表示領域１１-1〜１１-4に分割しているが、画像形成装置の台数が増減したときには、この台数に合わせて表示装置１１の画面１１ａを分割し、この台数分の表示領域を設ければ良い。また、画像形成装置が多数である場合は、画面１１ａ全体の表示内容を１頁として、各画像形成装置の設定情報及び識別番号を複数頁に振り分けて表示しても構わない。例えば、１８台の画像形成装置がある場合は、１８台の画像形成装置の設定情報及び識別番号を５頁に振り分け、入力操作部１８の入力操作により頁単位のスクロールを実行し、１頁目から４頁目までは、頁毎に、４台の画像形成装置の設定情報及び識別番号を４つの表示領域にそれぞれ分割表示し、５頁目では、２台の画像形成装置の設定情報及び識別番号を２つの表示領域にそれぞれ分割表示するようにする。また、入力操作部１８の入力操作により、表示装置１１の画面１１ａの分割数を指示することができるようにしても良い。例えば、分割数を１、２、４、８、１６等のいずれかより選択指示して、この指示された分割数に画面１１ａを分割する。分割数１が指示された場合は、画面１１ａを分割せず、画面１１ａ全体に１台の画像形成装置の設定情報及び識別番号を表示する。
【００４９】
こうして図５に示すように表示装置１１の画面１１ａの各表示領域１１-1〜１１-4に各画像形成装置３-1〜３-4の調整値及び識別番号が表示された状態では、表示領域１１-1の定着温度１５０（℃）だけが他の表示領域の定着温度と異なり、画像形成装置３-1の定着温度の設定ミスであることが分かる。
【００５０】
そこで、次のような手順で表示領域１１-1に表示されている画像形成装置３-1の定着温度を調節して変更する。
【００５１】
まず、調整者は、入力操作部１８を入力操作して表示領域１１-1の調整指示ボタン５１を指示する。ＣＰＵ１３は、表示領域１１-1の調整指示ボタン５１が指示されると、画像形成装置３-1の調整値を変更するためのシミュレーションモードを設定し、図５の画面１１ａを図６に示すなシミュレーションモードの画面１１ａに更新する。この図６の画面１１ａでは、「１．ＤＳＰＦ」（両面同時読取り装置）、「２．現像装置」、「３．転写装置」、「４．帯電装置」、「５．クリーニング装置」、及び「６．定着装置」という６つの項目が表示されており、入力操作部１８の入力操作によりいずれかの項目が指示される。すなわち、ＤＳＰＦの調整値の変更が必要なときには「１．ＤＳＰＦ」の項目が指示され、現像装置の現像バイアスの変更が必要なときには「２．現像装置」の項目が指示され、転写装置の転写電圧の変更が必要なときには「３．転写装置」の項目が指示され、帯電装置の帯電電圧の変更が必要なときには「４．帯電装置」の項目が指示され、クリーニング装置の調整値の変更が必要なときには「５．クリーニング装置」の項目が指示され、定着装置の定着温度の変更が必要なときには「６．定着装置」の項目が指示される。
【００５２】
ここでは、画像形成装置３-1の定着温度の変更が必要なので、入力操作部１８の入力操作により「６．定着装置」の項目が指示される。これに応答してＣＰＵ１３は、図６の画面１１ａの代わりに、図７に示すような定着温度設定の画面１１ａを表示する。この図７の画面１１ａでは、設定されている現在の定着温度１５０（℃）、及び定着温度の標準値１８０（℃）及び標準値を基準とする設定範囲（１７０℃〜１９０℃）が表示されており、標準値１８０（℃）及び設定範囲（１７０℃〜１９０℃）を参照しつつ、例えば入力操作部１８の入力操作により現在の定着温度１５０（℃）を１８０（℃）に変更指示することができる。このとき、入力操作部１８の入力操作により指示された温度が設定範囲（１７０℃〜１９０℃）から外れる場合は、ＣＰＵ１３により現在の定着温度１５０（℃）を標準値１８０（℃）に強制的に変更指示するようにしても良い。
【００５３】
この後、図７の画面１１ａにおいて、入力操作部１８の入力操作によりＯＫボタン５２が指示されると、これに応答してＣＰＵ１３は、無線ＬＡＮ２を通じて、変更指示された定着温度１８０（℃）及び画像形成装置３-1の識別番号を示す設定情報を送信する。
【００５４】
画像形成装置３-1では、設置情報を通信部４３で受信し、この設置情報をＣＰＵ４１に入力する。ＣＰＵ４１は、この設置情報を入力すると、この設置情報によって画像形成装置３-1の識別番号が示されていることから、この設置情報によって示される定着温度１８０（℃）を自己の画像形成装置３-1のものとして取り込み、この定着温度１８０（℃）に定着装置の定着温度を変更制御する。これにより、画像形成装置３-1の定着装置の定着温度が１５０（℃）から１８０（℃）に更新され、定着温度の設定ミスが是正される。
【００５５】
尚、他の画像形成装置では、設置情報を受信しても、この設置情報によって示される識別情報が自己の画像形成装置のものではないことから、この設置情報を取り込むことはなく、この設定情報によって示される定着温度が設定されることもない。
【００５６】
また、ＣＰＵ１３は、図７の画面１１ａにおけるＯＫボタン５２が指示されると、図７の画面１１ａを図６の画面１１ａに戻す。そして、図６の画面１１ａにおいて、入力操作部１８の入力操作によりＯＫボタン５３が指示されると、これに応答してＣＰＵ１３は、図６の画面１１ａを図５の元の画面１１ａに戻す。
【００５７】
以降同様の手順により、入力操作部１８の入力操作によりいずれかの表示領域の調整指示ボタン５１が指示されると、この表示領域に表示されている画像形成装置の調整値を変更するためのシミュレーションモードが設定されて、図６の画面１１ａが表示され、６つの項目のいずれかが指示されると、この項目の調整値を設定するための画面１１ａが表示され、この画面１１ａで調整値が変更されて、ＯＫボタン５２が指示されると、この変更された調整値が画像形成装置の識別番号と共に送信されて、この画像形成装置で調整値が受信され、この受信した調整値に該当する調整値が変更される。
【００５８】
また、図５の画面１１ａが表示されているときに、入力操作部１８の入力操作により終了が指示されると、監視設定装置１による各画像形成装置の監視が終了となる。
【００５９】
尚、本発明は、上記実施形態に限定されるものではなく、多様に変形することができる。例えば、画像形成装置の帯電電圧、現像バイアス、転写電圧、定着温度を例示しているが、ポリゴンミラーの回転数等の他の調整値や、紙詰まり等のトラブルを設定情報として扱っても良い。また、画像形成装置とは異なる他の装置を監視対象装置としても構わない。更に、表示画面上での表示態様を適宜に変更しても良い。
【図面の簡単な説明】
【００６０】
【図１】本発明の監視設定装置の一実施形態を概略的に示すブロック図である。
【図２】図１の監視設定装置を示す斜視図である。
【図３】図１の監視設定装置を適用した生産システムを示すブロック図である。
【図４】図１の監視設定装置におけるタッチパネルを示す平面図である。
【図５】図１の監視設定装置における表示装置の画面の分割表示を例示する図である。
【図６】図１の監視設定装置におけるシミュレーションモードのときの画面を例示する図である。
【図７】図１の監視設定装置における調整値を設定するための画面を例示する図である。
【符号の説明】
【００６１】
１  監視設定装置
２  無線ＬＡＮ
３-1〜３-4  画像形成装置
１１  表示装置
１２  タッチパネル
１３、４１  ＣＰＵ
１４  メモリ
１５  ハードディスク装置
１６  ＬＣＤコントローラ
１７、４３  通信部
１８  入力操作部
１９  表示角度変更部
２０  撮影カメラ
２１  プリンタ
２２  スキャナ
４２  記憶部
【図１】
2009109646.tif 000003
【図２】
2009109646.tif 000004
【図３】
2009109646.tif 000005
【図４】
2009109646.tif 000006
【図５】
2009109646.tif 000007
【図６】
2009109646.tif 000008
【図７】
2009109646.tif 000009